(57)【要約】【課題】原稿搬送部を有するカバーの開閉動作により、長期にわたり、スキャナユニットの上面に力が加わる場合や、瞬間的に上部から大きな外力が加わる場合に対しても、スキャナユニットに歪みが生じ難い構造を備える画像読取り装置を提供する。【解決手段】スキャナユニットの上方から力が加わった場合であっても、ボルト７０８，７０９の下方には、位置調節用ボルト孔６４６，６４７の端面が位置していることから、ボルト７０８，７０９による締結位置がずれることを防止することができる。【選択図】図１３
2009260647.tif 000002
【特許請求の範囲】
【請求項１】
画像読取り機能を有し平面が矩形形状のスキャナユニットを保持するスキャナユニット支持フレームと、画像印字機能を有するエンジンユニットを保持するエンジンユニット支持フレームとを備え、前記スキャナユニット支持フレームは前記エンジンユニット支持フレームの上部に連結される画像読取り装置であって、
前記スキャナユニット支持フレームは、前記スキャナユニットの側面に沿って延び、前記スキャナユニットの四つの角部領域の一つの角部領域を支持する支持アームを含み、
前記支持アームには、前記スキャナユニットの水平取付レベルを調整するための歪み防止調整機構が設けられ、
前記歪み防止調整機構は、
前記スキャナユニットに固定される調節プレートと、
ボルトを挿通させて前記調節プレートを前記支持アームに締結固定するため、前記支持アームに設けられる位置調節用ボルト孔と、を含み、
前記位置調節用ボルト孔は、前記スキャナユニット支持フレームが延びる方向に対して傾斜する長孔である、画像読取り装置。
【請求項２】
前記支持アームは、前記位置調節用ボルト孔に対して並行に延びるガイド孔を有し、
前記調節プレートは、前記スリット孔に対して挿通可能に設けられ、前記調節プレートを前記支持アームに対し、前記ガイド孔の延びる方向に対して摺動可能に係合させる鉤状部材を有する、請求項１に記載の画像読取り装置。
【発明の詳細な説明】
【技術分野】
【０００１】
本発明は、画像読取り装置に関する。
【背景技術】
【０００２】
コピー機、ＦＡＸ機等の画像読取り装置においては、平面が矩形形状を有し、原稿から画像情報を読取るスキャナユニットと、用紙に画像を印字する画像印字機能を有するエンジンユニットとを有している。スキャナユニットは、画像を歪ませることなく正確に読み込む必要があるため、スキャナユニットを歪ませないようにして、スキャナユニットを本体フレームに固定する必要がある。
【０００３】
たとえば、下記特許文献１からには特許文献９には、スキャナユニットを歪ませないようにして、スキャナユニットを本体フレームに固定する種々の機構・構成が開示されている。
【特許文献１】特開平０７−２７３９４９号公報
【特許文献２】特開平１０−３２２５２６号公報
【特許文献３】特開２０００−２１６９５２号公報
【特許文献４】特開２０００−３４７３１５号公報
【特許文献５】特開２００４−２７４６５１号公報
【特許文献６】特開２００５−０３９３１４号公報
【特許文献７】特開２００５−１２３７７７号公報
【特許文献８】特開２００７−０８１９０６号公報
【特許文献９】特開２００７−１３５２４３号公報
【発明の開示】
【発明が解決しようとする課題】
【０００４】
スキャナユニットの歪みを防止するために、スキャナユニットは四つの角部領域をそれぞれ柱部材で支持することが、強度的、部品精度的には有利である。しかし、四つの角部領域のそれぞれに柱部材を設けると、スキャナユニットの下方に排出部がある場合には、複写された用紙が排出部に排出されたあと、使用者が用紙を取り出す際、柱部材が邪魔になり操作し難い問題が挙げられる。
【０００５】
そこで、近年では、使用者が用紙を取り出し易くするために用紙を取り出す領域の柱部材を無くし、スキャナユニットを３つの角で支持する構成が主流となっている。
【０００６】
上述したように、スキャナユニットを本体フレームに連結する際、スキャナユニットの歪みによる画像歪みを防止する為に、スキャナユニットを歪ませないように連結する必要がある。しかし、本体フレームのスキャナユニットとの連結部は、部品精度のばらつきの発生により、スキャナユニットを歪ませる原因となる。
【０００７】
平面視において矩形形状を有するスキャナユニットの四つの角部領域のうち、下方からの支持が３箇所しか設けられない本体フレームを有する画像読取り装置においては、下方からの支持箇所が設けられていない角部領域は、他の角部領域に比べるとスキャナユニットに歪みを生じさせ易い。たとえば、組立て段階では、歪みがない状態であっても、自動原稿送り装置を備えるカバーの開閉動作により外力が加わり、長期にわたりスキャナユニットの上面に力が加わる場合や、瞬間的に上部から大きな外力が加わる場合に、スキャナユニットに歪みが生じるおそれがある。
【０００８】
スキャナユニットに歪みが生じた場合には、画像歪みが生じる以外に、スキャナユニットの側面や下方に位置する、ビルトインフィニッシャ、ジョブセパレータ等の他の周辺機器との相対隙間の減少や、他の周辺機器との干渉により、原稿排出機能に障害を生じるおそれがある。
【０００９】
また、スキャナユニットの歪み（傾斜）が生じた場合には、他の周辺機器や美装用の外装化粧カバーとの間に隙間が生じ、また、その隙間の間隔が不均一になる等により、画像読取り装置の外観上の美感を損ねるおそれもある。
【００１０】
したがって、この発明は上記の課題を鑑みてなされたものであって、その目的は、スキャナユニットの歪みによる画像歪みを防止する為、スキャナユニットを本体フレームに連結する際に、スキャナユニットを歪ませないように連結することが可能な機構を備える画像読取り装置を提供することにある。
【００１１】
また、この発明の他の目的は、原稿搬送部を有するカバーの開閉動作により、長期にわたり、スキャナユニットの上面に力が加わる場合や、瞬間的に上部から大きな外力が加わる場合に対しても、スキャナユニットに歪みが生じ難い構造を備える画像読取り装置を提供することにある。
【００１２】
また、この発明の他の目的は、スキャナユニットに歪みが生じた場合でも、画像読取り装置の外観上の美感を損ねることがない構造を備える画像読取り装置を提供することにある。
【課題を解決するための手段】
【００１３】
この発明に基づいた画像読取り装置においては、画像読取り機能を有し平面が矩形形状のスキャナユニットを保持するスキャナユニット支持フレームと、画像印字機能を有するエンジンユニットを保持するエンジンユニット支持フレームとを備え、上記スキャナユニット支持フレームは上記エンジンユニット支持フレームの上部に連結される画像読取り装置であって、以下の構成を備えている。
【００１４】
上記スキャナユニット支持フレームは、上記スキャナユニットの側面に沿って延び、上記スキャナユニットの四つの角部領域の一つの角部領域を支持する支持アームを含み、上記支持アームには、上記スキャナユニットの水平取付レベルを調整するための歪み防止調整機構が設けられている。
【００１５】
また、上記歪み防止調整機構は、上記スキャナユニットに固定される調節プレートと、ボルトを挿通させて上記調節プレートを上記支持アームに締結固定するため、上記支持アームに設けられる位置調節用ボルト孔とを含み、上記位置調節用ボルト孔は、上記スキャナユニット支持フレームが延びる方向に対して傾斜する長孔である。
【発明の効果】
【００１６】
この発明に基づいた画像読取り装置によれば、調節プレートに設けられる位置調節用ボルト孔を、スキャナユニット支持フレームが延びる方向に対して傾斜する長孔とすることで、調節プレートを支持アームに締結固定する際に、ボルトを位置調節用ボルト孔を貫通させ支持アームに取り付けた状態で調節プレートの縦方向の位置決めを容易に行なうことが可能となる。
【００１７】
さらに、スキャナユニットの上方から力が加わった場合であっても、ボルトの下方には、位置調節用ボルト孔の端面が位置していることから、ボルトによる締結位置がずれることを防止することができる。
【００１８】
これにより、スキャナユニットへの歪みの発生を抑制することが可能となる。その結果、画像歪みを生じさせ難い画像読取り装置を提供することが可能となる。また、スキャナユニットの周辺に位置しスキャナユニットに固定される他の化粧カバーとの位置ずれや、段差の発生を防止し、画像読取り装置の外観上の美感を維持することが可能となる。
【発明を実施するための最良の形態】
【００１９】
以下、本発明に基づいた画像読取り装置について、図を参照しながら説明する。なお、以下の説明において、同一または相当部分については、同一の参照番号を付し、重複する説明を繰り返さない場合がある。また、以下に説明する実施の形態において、個数、量などに言及する場合、特に記載がある場合を除き、本発明の範囲は必ずしもその個数、量などに限定されない。
【００２０】
なお、以下の説明において、各図中にも示しているように、画像読取り装置１の使用者の立ち位置から見て、使用者側を「前側」、使用者から遠ざかる側を「後側」、左手側を「左側」、および、右手側を「右側」と称するものとする。
【００２１】
（画像読取り装置１の全体構成）
まず、図１から図３を参照して、本実施の形態における画像読取り装置１の全体構成について説明する。なお、図１は、本実施の形態における画像読取り装置１の全体構成を示す前側左側から見た斜視図であり、図２は、本実施の形態における画像読取り装置１の全体構成を示す前側右側から見た斜視図であり、図３は、本実施の形態におけるジョブセパレータを装備する画像読取り装置１の全体構成を示す前側左側から見た斜視図である。
【００２２】
図１および図２を参照して、本実施の形態における画像読取り装置１は、画像読取り機能を含むスキャナユニット１００を有している。スキャナユニット１００は、平面視においえて長方形の矩形形状を有し、画像読取り装置１の使用者から見て、右側前側領域に位置する第１角部領域Ｃ１、右側後側領域に位置する第２角部領域Ｃ２、左側後側領域に位置する第３角部領域Ｃ３、および左側前側領域に位置する第４角部領域Ｃ４を備えている。
【００２３】
スキャナユニット１００は、前側側面、左側側面、および右側側面がそれぞれ、前側外装化粧カバー１１０、左側外装化粧カバー１２０、および右側外装化粧カバー１３０に覆われ、外観上の美感を保持している。
【００２４】
スキャナユニット１００の原稿ガラス面２上の左側後側のコーナには、原稿載置基準位置Ｐが設けられ、原稿ガラス面２上に原稿Ｐ１を載置する場合には、原稿の左側後側の角部を、原稿載置基準位置Ｐに合わせてセットする。
【００２５】
次に、図４から図６を参照して以下説明する。なお、図４は、スキャナユニット１００のみを保持した状態の支持フレーム構成を示す前側左側から見た斜視図であり、図５は、スキャナユニット１００のみを保持した状態の支持フレーム構成を示す前側右側から見た斜視図であり、図６は、スキャナユニット１００のみを保持した状態の支持フレーム構成を示す後側右側から見た斜視図である。
【００２６】
スキャナユニット１００の内部には、画像を光学的に読取るための画像読取り機能を有し左右方向にスライド移動可能に設けられた画像読取り用スライダー機構１５０を含んでいる。また、この画像読取り用スライダー機構１５０の基準位置を検出する位置１５０ａは、後述の歪み防止調整機構７００が設けられる側（左側）と同じ側の左側後側に設けられている。
【００２７】
スキャナユニット１００の上面には、前側を開閉し後側にヒンジ機構を有する自動原稿送装置（ＡＤＦ）を備えるカバー１０が設けられている。このカバー１０については、説明の便宜上、図１にのみ二点鎖線で図示している。スキャナユニット１００の右側手前側には、画像読取り装置１の機能設定を行なうためのオペレーションパネル３００が配置されている。
【００２８】
スキャナユニット１００の下方には、左側前側領域に支柱が設けられず大きく開放した用紙排出空間４００を規定するように、画像印字機能および用紙トレイ等を有するエンジンユニット２００が設けられている。用紙排出空間４００の左側には、用紙排出口４０１が設けられている。なお、図３に示す画像読取り装置１の用紙排出空間４００には、排出用紙をジョブ毎に仕分けするためのジョブセパレータ５００を設けた場合を図示している。
【００２９】
（支持フレーム構造）
次に、図４から図８を参照して、スキャナユニット１００およびエンジンユニット２００を保持するスキャナユニット支持フレーム６０１およびエンジンユニット支持フレーム６００の構成について説明する。なお、図７は、スキャナユニット１００を取り外した状態の支持フレーム構成を示す前側左側から見た斜視図であり、図８は、スキャナユニット１００を取り外した状態の支持フレーム構成を示す前側右側から見た斜視図である。
【００３０】
エンジンユニット支持フレーム６００は内部に所定の空間領域を有する箱型の外形形状を有している。スキャナユニット支持フレーム６０１は、エンジンユニット支持フレーム６００の右側前側領域（第１角部領域Ｃ１）において上方に延びる第１支持柱としての右前支持柱６１０と、右側後側領域（第２角部領域Ｃ２）において上方に延びる第２支持柱としての右後支持柱６２０と、左側後側領域（第３角部領域Ｃ３）において上方に延びる第３支持柱としての左後支持柱６３０とを備えている。
【００３１】
左後支持柱６３０には、第４角部領域Ｃ４に向けて、スキャナユニット１００の側面に沿って延びるように設けられる支持アーム６４０が設けられている。また、この支持アーム６４０には、スキャナユニット１００の第４角部領域Ｃ４を支持する領域に、スキャナユニット１００の水平取り付けレベルを調整するための歪み防止調整機構７００が設けられている。この歪み防止調整機構７００の詳細構造について後述する。
【００３２】
支持アーム６４０は、その断面形状が、上下方向に延びるベース部６４０ａと、ベース部６４０ａの上下端において、ベース部６４０ａから略水平方向に延びる側壁部６４０ｂ，６４０ｃとを有するコの字形状を有している。これにより、縦方向に外力が加わった場合の撓み強度の向上を図っている。
【００３３】
ベース部６４０ａの、前側位置、中間位置、および後側位置には、小判型の拡大開口部６４１，６４２，６４３が設けられている。また、ベース部６４０ａの後側には、スキャナユニット１００を固定するため、取付ビス孔６６１，６６１を有する左側後部固定プレート６６０が設けられている。
【００３４】
右前支持柱６１０の上部領域と右後支持柱６２０の上部領域との間には、右側上部フレーム６５０が掛け渡されている。この右側上部フレーム６５０は、底部プレート６５１と、この底部プレート６５１の両側から上方に延びる一対の側壁フレーム６５２を有し、上方に開口するコの字形状を有している。外側に位置する側壁フレーム６５２には、スキャナユニット１００を固定するため取付ビス孔６５３，６５４が複数設けられている。また、右後支持柱６２０と左後支持柱６３０との間には、連結フレーム６７０が設けられている。
【００３５】
（スキャナユニット１００の外装構造）
次に、図９および図１０を参照して、スキャナユニット１００を上記支持フレーム構造に対して取り付けるためのスキャナユニット１００の外装構造について説明する。なお、図９は、スキャナユニット１００の外装構造を示す前側右側から見た斜視図であり、図１０は、スキャナユニット１００の外装構造を示す前側左側から底部を見上げた状態を示す図である。
【００３６】
スキャナユニット１００は、側壁ユニットフレーム１０１を有し、右側に位置する側壁ユニットフレーム１０１の下面には取付用孔１０４を備える前側ブラケット１０２と、取付用孔１０５を備える後側ブラケット１０３とが取り付けられている。また、左側に位置する側壁ユニットフレーム１０１の側面の前側には、後述する歪み防止調整機構７００が取付られる取付用孔１０１ａ，１０１ｂが設けられている。また、側壁ユニットフレーム１０１の側面の前側と後側とには、左側外装化粧カバー１２０を固定する際に用いられる取付用孔１０１ｃ，１０１ｄが設けられている。
【００３７】
（スキャナユニット１００のスキャナユニット支持フレーム６０１への固定）
再び、図４から図６を参して、スキャナユニット１００のスキャナユニット支持フレーム６０１への固定について説明する。
【００３８】
スキャナユニット１００に設けられた前側ブラケット１０２と後側ブラケット１０３とは、右側上部フレーム６５０の底部プレート６５１に載置され、ビスＢ１によりに前側ブラケット１０２と後側ブラケット１０３とがそれぞれ、側壁フレーム６５２に固定される。これにより、スキャナユニット１００の右側前側領域（第１角部領域Ｃ１）と右側後側領域（第２角部領域Ｃ２）とがスキャナユニット支持フレーム６０１に固定される。また、スキャナユニット１００の左側後側領域（第３角部領域Ｃ３）は、左側後部固定プレート６６０によりビスＢ３を用いて固定される。
【００３９】
（歪み防止調整機構７００）
スキャナユニット１００の左側前側領域（第４角部領域Ｃ４）は、支持アーム６４０に固定する際に、スキャナユニット１００の水平取り付けレベルを調整するため、スキャナユニット１００と支持アーム６４０との間に歪み防止調整機構７００を介在させる構成が採用されている。まず、支持アーム６４０の左側前側領域に設けられる開口部について、図１１を参照して説明する。なお、図１１は、支持アーム６４０の構造を示す図であり、（Ａ）は正面図、（Ｂ）は平面図、（Ｃ）は側面図、および（Ｄ）は（Ａ）中のＤ線矢視断面図である。
【００４０】
支持アーム６４０の先端部には、位置調節用ボルト孔６４６，６４７が設けられている。この位置調節用ボルト孔６４６，６４７は、それぞれ高さ位置が異なるように配置され、スキャナユニット支持フレーム６０１が延びる方向（支持アーム６４０が延びる方向でもある）に対して傾斜する長孔である。より具体的には、図１１（Ｄ）に示すように、位置調節用ボルト孔６４７は、長孔部６４７ａと、長孔部６４７ａの周囲を取り囲む座ぐり穴６４７ｂとを有している。なお、位置調節用ボルト孔６４６も同じ構造である。
【００４１】
また、位置調節用ボルト孔６４６，６４７の両側には、位置調節用ボルト孔６４６，６４７に対して並行に延びるガイド孔６４８，６４９が設けられている。このガイド孔６４８は、幅が狭い第１スリット部６４８ａと、この第１スリット部６４８ａよりも幅が広い第２スリット部６４８ｂとを有している。また、ガイド孔６４９も、ガイド孔６４８と同様に、第１スリット部６４９ａおよび第２スリット部６４９ｂとを有している。また、位置調節用ボルト孔６４６，６４７の下方位置には、上下方向に延びる長孔６４４，６４５が設けられている。
【００４２】
次に、図１２を参照して、スキャナユニット１００と支持アーム６４０との間に介在させる調節プレート７０１Ａの構造について説明する。なお、図１２は調節プレート７０１Ａの構造を示す図であり、図１２（Ａ）は正面図、（Ｂ）は平面図、および（Ｃ）は側面図である。
【００４３】
調節プレート７０１Ａは、本体プレート７０１と、本体プレート７０１から延びるブラケット７０２とを有する。このブラケット７０２の下方には、載置プレート７０７が設けられている。このブラケット７０２には、横方向に延びる長孔７０２ａ，７０２ｂが上下に一つずつ、合計２つ設けられている。本体プレート７０１には、支持アーム６４０に設けられた位置調節用ボルト孔６４６，６４７を挿通したボルトが螺合するため、貫通孔を含むナット７０５，７０６が設けられている。また、ナット７０５，７０６の下方には、横方向に延びる長孔７１０，７１１が設けられている。
【００４４】
また、本体プレート７０１には、支持アーム６４０に設けられたガイド孔６４８，６４９に対して挿通可能に設けられ、調節プレート７０１Ａを支持アーム６４０に対し、ガイド孔６４８，６４９の延びる方向に対して摺動可能に係合させる鉤状部材としてのフック７０３，７０４が設けられている。
【００４５】
（歪み防止調整機構７００の取付）
次に、図１３から図１６を参照して、歪み防止調整機構７００を用いて、スキャナユニット１００の左側前側領域（第４角部領域Ｃ４）に支持アーム６４０を固定する場合について説明する。
【００４６】
なお、図１３は、調節プレート７０１Ａが支持アーム６４０に固定された状態を示す部分拡大図であり、図１３（Ａ）は正面図、（Ｂ）は平面図、および（Ｃ）は側面図である。また、図１４から図１６は、調節プレート７０１Ａと支持アーム６４０との間の相互の高さ調節を行なった場合の状態を示す図である。
【００４７】
調節プレート７０１Ａに設けられたフック７０３，７０４をガイド孔６４８，６４９に設けられた第２スリット部６４８ｂ，６４９ｂに挿通させ、第１スリット部６４８ａ，６４９ａにおいてフック７０３，７０４をスライドさせる。次に、位置調節用ボルト孔６４６，６４７にボルト７０８，７０９を挿通させる。これにより、フック７０３，７０４が支持アーム６４０に係合した状態となり、組立て時において、支持アーム６４０とスキャナユニット１００とを保持しなくとも、支持アーム６４０とスキャナユニット１００とを連結させた仮組み状態にすることができ、組立て作業の効率化を図ることができる（自己保持機能）。
【００４８】
次に、調節プレート７０１Ａと支持アーム６４０との間の歪み調整を治具で行なう。その後、スキャナユニット１００を４箇所（各角部Ｃ１，Ｃ２，Ｃ３，Ｃ４）の支持部に載せ、位置調節用ボルト孔６４６，６４７のナット７０５，７０６への締め込みを完了させる。図１３は、支持アーム６４０に対して調節プレート７０１Ａが最も上方に位置する状態を示し、図１４は、支持アーム６４０に対して調節プレート７０１Ａが中間に位置する状態を示し、図１５は、支持アーム６４０に対して調節プレート７０１Ａが最も下方に位置する状態を示している。なお、調節プレート７０１Ａの長孔７１０，７１１と、支持アーム６４０の長孔６４４，６４５とは、組立て時に用いる治具の設けられたピンを貫通させるための孔であるが、ここでの詳細な説明は省略する。
【００４９】
また、スキャナユニット１００は、調節プレート７０１Ａの、ブラケット７０２の長孔７０２ａおよびスキャナユニット１００側に設けられた取付用孔１０１ａ，１０１ｂを利用して取り付けが行なわれる。図１２から図１５においては、スキャナユニット１００の図示を省略するものとする。
【００５０】
このような構成で仮に歪みが生じても歪み防止調整機構７００は、ボルト２本による固定であるので、容易に再調整することが可能となる。
【００５１】
（左側外装化粧カバー１２０の詳細取り付け構造）
次に、図１７を参照して、左側外装化粧カバー１２０の詳細取り付け構造について説明する。なお、図１７は、図１中のＸＶＩＩ線矢視に対応する断面図である。左側外装化粧カバー１２０は上記したように、スキャナユニット１００の側壁ユニットフレーム１０１に固定されている。具体的な取り付け構造としては、支持アーム６４０は、左側外装化粧カバー１２０とスキャナユニット１００の側壁ユニットフレーム１０１との間に挟まれるように配置されている。
【００５２】
左側外装化粧カバー１２０には、スキャナユニット１００側に突出する凹部形状領域１２１，１２２が設けられている（図１参照）。この凹部形状領域１２１，１２２は、支持アーム６４０の拡大開口部６４１，６４２，６４３に接触することなく支持アーム６４０を貫通し、凹部形状領域１２１，１２２の底部が側壁ユニットフレーム１０１に接するように設けられる。凹部形状領域１２１，１２２の底部領域が、ビスＢ２を用いて側壁ユニットフレーム１０１に予め設けられた取付用孔１０１ｃ，１０１ｄを利用して、側壁ユニットフレーム１０１に固定される。これにより、左側外装化粧カバー１２０は、支持アーム６４０に接触することなく、スキャナユニット１００に固定されることとなる。
【００５３】
（作用・効果）
以上、本実施の形態における画像読取り装置によれば、上記構成を備える歪み防止調整機構７００を設けることで、各部品の部品精度のばらつきで生じるスキャナユニット１００への歪みの発生を抑制することができる。さらに、下方からの支持箇所が設けられていない左側前側領域（第４角部領域Ｃ４）は、他の角部領域に比べるとスキャナユニット１００に歪みが生じ易い箇所であるため、この領域に歪み防止調整機構７００を設けることで、効果的にスキャナユニット１００への歪みの発生を抑制することができる。
【００５４】
その結果、画像歪みを生じさせ難い画像読取り装置を提供することが可能となる。さらに、スキャナユニット１００の側面や下方に位置する、ビルトインフィニッシャ、ジョブセパレータ等の他の周辺機器との相対隙間の減少や、他の周辺機器との干渉を回避して、原稿排出機能の性能維持を図ることができる。
【００５５】
また、上述した防止調整機構７００によれば、調節プレート７０１Ａに設けられる位置調節用ボルト孔６４６，６４７を、支持アーム６４０が延びる方向に対して傾斜する長孔６４６，６４７とすることで、調節プレート７０１Ａを支持アームに締結固定する際に、ボルト７０８，７０９を位置調節用ボルト孔６４６，６４７を貫通させ支持アーム６４０に取り付けた状態で調節プレート７０１Ａの縦方向の位置決めを容易に行なうことが可能となる。
【００５６】
さらに、スキャナユニット１００の上方から力が加わった場合であっても、ボルト７０８，７０９の下方には、位置調節用ボルト孔６４６，６４７の端面が位置していることから、ボルト７０８，７０９による締結位置がずれることを防止することができる。
【００５７】
これにより、スキャナユニット１００への歪みの発生を抑制することが可能となる。その結果、画像歪みを生じさせ難い画像読取り装置を提供することが可能となる。また、スキャナユニット１００の周辺に位置しスキャナユニット１００に固定される他の化粧カバーとの位置ずれや、段差の発生を防止し、画像読取り装置の外観上の美感を維持することが可能となる。
【００５８】
さらに、他の周辺機器や美装用の前側外装化粧カバー１１０、左側外装化粧カバー１２０、および右側外装化粧カバー１３０の相互の間において不必要な隙間の発生を抑制し、画像読取り装置の外観上の美感を損ねることもない。
【００５９】
また、左側外装化粧カバー１２０を支持アーム６４０ではなくスキャナユニット１００の側壁ユニットフレーム１０１に固定することで、スキャナユニット１００の周辺に位置しスキャナユニットに固定される前側外装化粧カバー１１０、および右側外装化粧カバー１３０との位置ずれや、段差の発生を防止することが可能となる。その結果、画像読取り装置の外観上の美感を維持することが可能となる。
【００６０】
なお、上記実施の形態のおいては、左側前側領域（第４角部領域Ｃ４）にエンジンユニット支持フレーム６００から上方に延びる支持柱を設けない構成を採用し、左側に向けて開口する用紙排出空間４００を設けるようにし、原稿載置基準位置Ｐ、画像読取り用スライダー機構１５０の基準位置を検出する位置１５０ａ、および、歪み防止調整機構７００を、左側に配置する構成を採用した画像読取り装置を説明しているが、エンジンユニット支持フレーム６００から上方に延びる支持柱を設けない領域に歪み防止調整機構７００を設けるべき点を除いては、原稿載置基準位置Ｐ、および、画像読取り用スライダー機構１５０の基準位置を検出する位置１５０ａは、上記実施の形態の構造に限定されるものではない。
【００６１】
また、エンジンユニット支持フレーム６００から上方に延びる支持柱を設けない領域を右側前側領域（第３角部領域Ｃ３）とし、歪み防止調整機構７００を右側に配置し、右側に向けて開口する用紙排出空間を設ける構成の採用も可能である。
【００６２】
以上、本発明の実施の形態について説明したが、今回開示された実施の形態はすべての点で例示であって制限的なものではないと考えられるべきである。本発明の範囲は特許請求の範囲によって示され、特許請求の範囲と均等の意味および範囲内でのすべての変更が含まれることが意図される。
【図面の簡単な説明】
【００６３】
【図１】本実施の形態における画像読取り装置の全体構成を示す前側左側から見た斜視図である。
【図２】本実施の形態における画像読取り装置の全体構成を示す前側右側から見た斜視図である。
【図３】本実施の形態におけるジョブセパレータを装備する画像読取り装置の全体構成を示す前側左側から見た斜視図である。
【図４】本実施の形態における画像読取り装置のスキャナユニットのみを保持した状態の支持フレーム構成を示す前側左側から見た斜視図である。
【図５】本実施の形態における画像読取り装置のスキャナユニットのみを保持した状態の支持フレーム構成を示す前側右側から見た斜視図である。
【図６】本実施の形態における画像読取り装置のスキャナユニットのみを保持した状態の支持フレーム構成を示す後側右側から見た斜視図である。
【図７】本実施の形態における画像読取り装置のスキャナユニットを取り外した状態の支持フレーム構成を示す前側左側から見た斜視図である。
【図８】本実施の形態における画像読取り装置のスキャナユニットを取り外した状態の支持フレーム構成を示す前側右側から見た斜視図である。
【図９】本実施の形態における画像読取り装置のスキャナユニットの外装構造を示す前側右側から見た斜視図である。
【図１０】本実施の形態における画像読取り装置のスキャナユニットの外装構造を示す前側左側から底部を見上げた状態を示す図である。
【図１１】本実施の形態における画像読取り装置のスキャナユニットの支持アームの構造を示す図であり、（Ａ）は正面図、（Ｂ）は平面図、（Ｃ）は側面図、および（Ｄ）は（Ａ）中のＤ線矢視断面図である。
【図１２】本実施の形態における画像読取り装置の調節プレートの構造を示す図であり、（Ａ）は正面図、（Ｂ）は平面図、および（Ｃ）は側面図である。
【図１３】本実施の形態における画像読取り装置の調節プレートが支持アームに固定された状態を示す部分拡大図であり、（Ａ）は正面図、（Ｂ）は平面図、および（Ｃ）は側面図である。
【図１４】本実施の形態における画像読取り装置の調節プレートと支持アームとの間の相互の高さ調節を行なった場合の状態を示す図である。
【図１５】本実施の形態における画像読取り装置の調節プレートと支持アームとの間の相互の高さ調節を行なった場合の状態を示す図である。
【図１６】本実施の形態における画像読取り装置の調節プレートと支持アームとの間の相互の高さ調節を行なった場合の状態を示す図である。
【図１７】図１中のＸＶＩＩ線矢視に対応する断面図である。
【符号の説明】
【００６４】
１  画像読取り装置、２  原稿ガラス面、１０  カバー、１００  スキャナユニット、１０１  側壁ユニットフレーム、１０１ａ，１０１ｂ，１０１ｃ，１０１ｄ，１０４，１０５  取付用孔、１０２  前側ブラケット、１０３  後側ブラケット、１１０  前側外装化粧カバー、１２０  左側外装化粧カバー、１２１，１２２  凹部形状領域、１３０  右側外装化粧カバー、１５０  画像読取り用スライダー機構、１５０ａ  検出位置、２００  エンジンユニット、３００  オペレーションパネル、４００  用紙排出空間、４０１  用紙排出口、５００  ジョブセパレータ、６００  エンジンユニット支持フレーム、６０１  スキャナユニット支持フレーム、６１０  右前支持柱、６２０  右後支持柱、６３０  左後支持柱、６４０  支持アーム、６４０ａ  ベース部、６４０ｂ，６４０ｃ  側壁部、６４１，６４２，６４３  拡大開口部、６４６，６４７  位置調節用ボルト孔、６４７ａ  長孔部、６４７ｂ  座ぐり穴、６４８，６４９  ガイド孔、６４８ａ，６４９ａ  第１スリット部、６４８ｂ，６４９ｂ  第２スリット部、６４４，６４５  長孔、６５０  右側上部フレーム、６５１  底部プレート、６５２  側壁フレーム、６５３，６５４  取付ビス孔、６６０  左側後部固定プレート、６６１，６６１  取付ビス孔、６７０  連結フレーム、７００  歪み防止調整機構、７０１Ａ  調節プレート、７０１  本体プレート、７０２  ブラケット、７０２ａ，７０２ｂ  長孔、７０３，７０４  フック、７０５，７０６  ナット、７０７  載置プレート、７０８，７０９  ボルト、７１０，７１１  長孔、Ｂ１，Ｂ２，Ｂ３  ビス、Ｃ１  第１角部領域、Ｃ２  第２角部領域、Ｃ３  第３角部領域、Ｃ４  第４角部領域、Ｐ  原稿載置基準位置、Ｐ１  原稿。
【図１】
2009260647.tif 000003
【図２】
2009260647.tif 000004
【図３】
2009260647.tif 000005
【図４】
2009260647.tif 000006
【図５】
2009260647.tif 000007
【図６】
2009260647.tif 000008
【図７】
2009260647.tif 000009
【図８】
2009260647.tif 000010
【図９】
2009260647.tif 000011
【図１０】
2009260647.tif 000012
【図１１】
2009260647.tif 000013
【図１２】
2009260647.tif 000014
【図１３】
2009260647.tif 000015
【図１４】
2009260647.tif 000016
【図１５】
2009260647.tif 000017
【図１６】
2009260647.tif 000018
【図１７】
2009260647.tif 000019